(57)【要約】      （修正有）【課題】光ピックアップに送風して冷却する簡素な構造の光ディスク装置を提供する。【解決手段】光ピックアップ１に直接送風する位置に配置されたメインファン６と、このメインファン６の回転軸６１に光ピックアップ１を光ディスク１００の径方向に移動させるスライドモータの回転力を伝達する伝達手段７と、を備え、該伝達手段７は、メインファン６の回転数が前記スライドモータの回転数よりも高くなる歯数比であり互いに咬合する複数の歯車で構成する。また、前記スライドモータの回転軸を自身の回転軸とし、前記スライドモータに送風するとともに、装置内に気流を発生するサブファン１Ｃをも備える。【選択図】  図１
2004342147.tif 000002
【特許請求の範囲】
【請求項１】
光ディスク表面にレーザ光を照射し、データの記録、再生を行う光ピックアップと、該光ピックアップを前記光ディスクの径方向に移動させるスライドモータとを備えた光ディスク装置において、
前記光ピックアップに直接送風する位置に配置されたメインファンと、
該メインファンの回転軸に前記スライドモータの回転力を伝達する、前記メインファンの回転数が前記スライドモータの回転数よりも高くなる歯数比で設けられた、互いに咬合する複数の歯車を備えた伝達手段と、
前記スライドモータの回転軸を自身の回転軸とし、前記スライドモータを送風するとともに、装置内に気流を発生するサブファンと、を備えたことを特徴とする光ディスク装置。
【請求項２】
光ディスク表面にレーザ光を照射し、データの記録、再生を行う光ピックアップと、該光ピックアップを前記光ディスクの径方向に移動させるスライドモータとを備えた光ディスク装置において、
前記光ピックアップに直接送風する位置に配置されたメインファンと、
該メインファンの回転軸に前記スライドモータの回転力を伝達する伝達手段と、を備えたことを特徴とする光ディスク装置。
【請求項３】
前記伝達手段は、前記メインファンの回転数が前記スライドモータの回転数よりも高くなる歯数比で設けられた、互いに咬合する複数の歯車を備えた請求項２に記載の光ディスク装置。
【請求項４】
前記スライドモータの回転軸を自身の回転軸とし、前記スライドモータに送風するとともに、装置内に気流を発生するサブファンを備えた請求項２または請求項３に記載の光ディスク装置。
【発明の詳細な説明】
【０００１】
【発明の属する技術分野】
この発明は、光ディスクのデータ記録、再生を行う光ディスク装置に関するものである。
【０００２】
【従来の技術】
光ディスク装置は、光ディスクをターンテーブルに配置して、このターンテーブルをスピンドルモータで回転させることにより光ディスクを回転させる。これと同時に、光ディスクの記録面側に配置され、光ディスクの径方向に移動する光ピックアップから光ディスクの記録面にレーザ光を照射し、その反射光を受信することで記録面に記録されているデータを読み出す。また、光ディスクにデータを記録する場合には、スピンドルモータで光ディスクを回転させながら、再生時よりも高出力のレーザ光を光ピックアップから光ディスク表面に照射することで、データを書き込む。
【０００３】
このような光ディスク装置の光ピックアップは、再生時、記録時ともに、レーザ光を生成して出力したり、データ処理を行うため熱を発する。このため、連続して再生、記録を行うと、光ピックアップ付近に熱が滞留し、付近の温度が上昇していく。このように温度が上昇すると、光ピックアップの各構成要素に、素子の特性が変化したり、誤動作が生じる等の悪影響を及ぼす可能性がある。
【０００４】
この光ピックアップ付近の熱の滞留を抑制するため、光ピックアップの移動に応じて熱の滞留を撹拌する部品を設けた光ディスク装置が提案されている（例えば、特許文献１参照。）。
【０００５】
【特許文献１】
特開平４−３１９５９３号公報
【０００６】
【発明が解決しようとする課題】
ところが、特許文献１の光ディスク装置は、光ピックアップが移動することにより、光ピックアップ上に配置された羽根で光ピックアップ付近の雰囲気を撹拌して、気流を発生させるものであるため、光ピックアップに直接送風して冷却をすることができなかった。
【０００７】
また、従来の光ディスク装置では、光ピックアップを冷却するために連続的に動作するファンを設ける場合、このファン専用のモータを必要とするため、このモータおよびモータを駆動する電源回路分のスペースが筐体内に必要となり、装置が大型化するとともに、構成部品が多くなるという問題が生じる。
【０００８】
この発明の目的は、光ピックアップを送風冷却する、簡素な構造の光ディスク装置を提供することにある。
【０００９】
【課題を解決するための手段】
この発明は、光ディスク表面にレーザ光を照射し、データの記録、再生を行う光ピックアップと、該光ピックアップを光ディスクの径方向に移動させるスライドモータとを備えた光ディスク装置において、光ピックアップに直接送風するとともに、この光ピックアップ付近の空気に対流を起こさせる位置に配置されたメインファンと、このメインファンの回転軸に、スライドモータの回転力を伝達する伝達手段とを備えたことを特徴としている。
【００１０】
この構成では、光ピックアップを移動させるスライドモータの回転力をメインファンに伝達する伝達手段が設置されていることにより、光ディスクからのデータの読み出し（再生）や、光ディスクへのデータの書き込み（記録）の際に、スライドモータが光ピックアップを所定方向に移動させるとともに伝達手段に回転を与え、伝達手段がこの回転をメインファンの回転軸に伝達する。これによりメインファンが所定方向に回転し、光ピックアップに直接送風するとともに、光ピックアップ付近の空気を大きく対流させる。
【００１１】
また、この発明の伝達手段は、メインファンの回転数がスライドモータの回転数よりも高くなる歯数比で設けられた、互いに咬合する複数の歯車を備えたことを特徴としている。
【００１２】
この構成では、スライドモータの回転数よりも多い回転数でメインファンが回転するので、スライドモータの回転数が少なくてもメインファンからの送風量を多くすることができ、効率良く光ピックアップが送風冷却される。
【００１３】
また、この発明の光ディスク装置は、スライドモータの回転軸を自身の回転軸とする、すなわち、スライドモータの回転軸に取り付けられたサブファンを備えたことを特徴としている。
【００１４】
この構成では、スライドモータが駆動することで、サブファンが回転して、スライドモータを送風冷却するとともに、この送風により装置内に新たな気流を発生させることで、装置内の温度を低下させる。これにより、メインファンが単独で気流を発生させる場合よりも、より効果的に装置内の温度を低下させることができるので、光ピックアップの冷却効果も向上する。
【００１５】
【発明の実施の形態】
本発明の第１の実施形態に係る光ディスク装置について、図１を参照して説明する。
【００１６】
図１は、本実施形態に係る光ディスク装置の光ピックアップ付近を示す部分概略構成図であり、（ａ）は上面から見た図、（ｂ）は側面から見た図である。
本実施形態の光ディスク装置は、光ディスク１００が保持されるターンテーブル８と、該ターンテーブル８の下部に配置され、ターンテーブル８を回転させるスピンドルモータ９と、光ピックアップ１と、該光ピックアップ１を光ディスク１００の径方向に移動させるスクリューガイド２およびガイド４と、本発明のスライドモータに対応するステッピングモータ３とを備える。このステッピングモータ３の回転軸は、表面に所定のスクリュー溝が形成されたスクリューガイド２と表面に溝の形成されていないシャフト２’とからなる。ステッピングモータ３は、このステッピングモータ３から光ピックアップ１側がスクリューガイド２となり、この反対側（光ピックアップ１の無い側）がシャフト２’となるように配置されており、このシャフト２’にモータ側歯車５を設置している。
【００１７】
また、光ディスク１００の下方に、駆動することで、光ピックアップ１の移動方向（光ディスク１００の径方向）に送風するメインファン６を設置しており、該メインファン６の回転軸であるシャフト６１にはファン側歯車６０を設置している。このメインファン６は、光ピックアップ１と略同じ高さの位置に配置されるように、保持部品６２によりガイド４に固定されている。
【００１８】
さらに、ステッピングモータ３のシャフト２’に設置したモータ側歯車５に咬合する第１歯車７０と、メインファン６のシャフト６１に設置したファン側歯車６０に咬合する第２歯車７１と、これら第１、第２歯車７０，７１を接続するシャフト７２とからなる回転伝達部品７をメインファン６とステッピングモータ３の間に設置している。
【００１９】
ここで、各歯車の歯数は、ステッピングモータ３の回転数に対して可能な限り高い回転数になるように設定している。すなわち、ステッピングモータ３のトルクに基づいて、前記モータ側歯車５，第１歯車７０，第２歯車７１，ファン側歯車６０およびメインファン６を回転させるとともにスクリューガイド２を回転し得る限りで、モータ側歯車５の歯数、回転伝達部品７の第１歯車７０の歯数、回転伝達部品７の第２歯車７１の歯数、およびファン側歯車６０の歯数の比を設定している。
【００２０】
次に、本光ディスク装置の動作について説明する。
【００２１】
再生操作が入力されると、スピンドルモータ９がターンテーブル８を回転させることで、該ターンテーブル８に保持された光ディスク１００が回転する。また、同時にステッピングモータ３が駆動することにより回転軸が回転して、スクリューガイド２が回転する。光ピックアップ１は、スクリューガイド２が回転することによりスクリューガイド２の表面に形成されたスクリュー溝に沿って、ガイド４に導かれながら光ディスク１００の径方向に移動する。そして、光ピックアップ１はレーザ光を光ディスク１００に照射し、その反射光を受信して、所定のディジタルデータに再生する。再生されたディジタルデータは、図示されていない、映像、音声再生部において既知の処理により映像および音声に変換されて出力される。
【００２２】
また、記録操作が入力されると、スピンドルモータ９を駆動することで光ディスク１００を回転させるとともに、ステッピングモータ３を駆動して光ピックアップ１を移動させながら、該光ピックアップ１で、入力されたディジタルデータを光信号に変換して、レーザ光として光ディスク１００の記録面に照射して、該光ディスク１００にデータを記録する。
【００２３】
このような、再生、記録動作の場合、光ピックアップ１の位置を移動させるためにステッピングモータ３は頻繁に駆動するので、これに伴ってシャフト２’が回転する。シャフト２’が回転すると、これに備えられたモータ側歯車５が回転し、これに咬合する第１歯車７０が回転する。この回転は第２歯車７１を介してファン側歯車６０に伝達され、このファン側歯車６０が回転することでメインファン６が回転して、光ピックアップ１の移動方向に送風を行う。
【００２４】
ここで、ステッピングモータ３は、光ピックアップ１が移動する際には、必ず駆動するので、光ピックアップ１の各素子が駆動したり、レーザ光を照射することで発熱する再生中および記録中には、常に送風を行うことができる。
【００２５】
このように送風された空気は光ディスク１００の下方の空間に気流を生じさせて、空気の循環を発生させる。これにより、光ピックアップ１付近に籠もった熱が装置内に循環し、さらに、装置に設けられたファン（図示せず）により装置外部の空気を循環して放熱することで、装置内の温度を低下させることができる。
【００２６】
また、上述のように、光ピックアップ１の位置（高さ）とメインファン６の位置（高さ）とを略一致させることにより、メインファン６から送風された空気が直接光ピックアップ１に当たるため、光ピックアップ１をメインファン６からの送風により直接放熱（冷却）することができる。これにより、単に光ディスク１００の下方に気流を生じさせて放熱する場合よりも、効果的に光ピックアップの放熱（冷却）を行うことができる。
【００２７】
このような構成とすることで、別途ファン用モータおよびこのモータ用の駆動電源回路を設けることなく、簡素な構造でありながらも、駆動中の光ピックアップを直接送風冷却することができる。これにより、熱による光ピックアップの誤動作が抑制され、動作の安定した光ディスク装置を構成することができる。
【００２８】
次に、第２の実施形態に係る光ディスク装置について、図２を参照して説明する。
図２は、本実施形態に係る光ディスク装置の主要部を示す部分概略構成図であり、（ａ）と（ｂ）とでは、サブファン１０とモータ側歯車５の位置が異なる。
【００２９】
本実施形態の光ディスク装置は、ステッピングモータ３の回転軸であるシャフト２’にサブファン１０が設置されたものである。他の構成は、第１の実施形態に示した光ディスク装置と同じであり、同じ部分については説明を省略する。
【００３０】
ステッピングモータ３の回転軸であるシャフト２’には、回転伝達部品７を介してメインファン６を駆動するためのモータ側歯車５と、シャフト２’を回転軸として、該シャフト２’の回転により軸方向に送風を行うサブファン１０を設置している。ここで、サブファン１０はモータ側歯車５に対して、ステッピングモータ３の反対側に設置してもよく（図２（ａ））、ステッピングモータ３側に設置してもよい（図２（ｂ））。この場合も、各歯車の歯数は、ステッピングモータ３の回転数に対して可能な限り、メインファン６の回転数が高くなるように設定している。ここで、本実施形態の場合、第１の実施形態の構成に加えてステッピングモータ３の回転軸にサブファン１０が取り付けられているので、第１の実施形態における歯数の設定に加え、サブファン１０の回転も考慮して、モータ側歯車５の歯数、回転伝達部品７の第１歯車７０の歯数、回転伝達部品７の第２歯車７１の歯数、およびファン側歯車６０の歯数の比を設定する。
【００３１】
このような構成とすることで、光ピックアップ１を移動させるためにステッピングモータ３が駆動するとシャフト２’が回転して、モータ側歯車５を回転させるとともに、サブファン１０が回転する。これにより、メインファン６が光ピックアップ１に送風するとともに、サブファン１０がステッピングモータ３に送風する。サブファン１０がステッピングモータ３に送風することにより、ステッピングモータ３が放熱し、さらに、装置内、特に光ディスクの下方に新たな気流を発生させることができるので、光ピックアップ１付近に籠もった熱をより効果的に拡散し、温度を低下させることができる。すなわち、さらに効率良く装置内の放熱が行われ、光ピックアップの放熱（冷却）効果も高まる。
【００３２】
なお、上述の各実施形態では、ステッピングモータの回転軸をスクリューガイドおよび回転伝達用のシャフトに用いたが、ステッピングモータとスクリューガイドおよびシャフトとを別置して、ステッピングモータの回転軸の回転を歯車等でスクリューガイドおよびシャフトに伝達する構成を用いても、上述の効果を得ることができる。
【００３３】
【発明の効果】
この発明によれば、光ディスクのデータの再生や、光ディスクへのデータの記録の際に、スライドモータがスクリューガイドを所定方向に回転させるとともに、複数のシャフトおよび歯車によりメインファンを回転させることにより、簡素な構造でありながら、光ピックアップに直接送風するとともに、光ピックアップ付近の空気を大きく対流させて、再生動作中および記録動作中の光ピックアップを効率良く冷却することができる。これにより、熱による光ピックアップの誤動作を抑制し、動作の安定した光ディスク装置を構成するができる。
【００３４】
また、この発明によれば、スライドモータの回転数よりも多い回転数でメインファンが回転するように各歯車の歯数を設定することで、メインファンが速く回転するので、さらに効率良く光ピックアップを送風冷却することができる。
【００３５】
また、この発明によれば、スライドモータの回転に応じて、サブファンが回転して、スライドモータに送風し冷却するとともに、この送風により装置内に新たな気流を発生させることで、装置内の温度を低下させることができる。これにより、メインファンが単独で気流を発生させる場合よりも、より効率良く装置内の温度を低下させることができるので、光ピックアップの冷却効果も向上することができる。
【図面の簡単な説明】
【図１】第１の実施形態に係る光ディスク装置の光ピックアップ付近を示す部分概略構成図
【図２】第２の実施形態に係る光ディスク装置の部分概略構成図
【符号の説明】
１−光ピックアップ
２−スクリューガイド
２’−シャフト
３−ステッピングモータ
４−ガイド
５−モータ側歯車
６−メインファン
６０−ファン側歯車
６１−メインファン６のシャフト
７−回転伝達部品
７０−回転伝達部品７の伝達用第１歯車
７１−回転伝達部品７の伝達用第２歯車
７２−回転伝達部品７のシャフト
８−ターンテーブル
９−スピンドルモータ
１０−サブファン
１００−光ディスク
【図１】
2004342147.tif 000003
【図２】
2004342147.tif 000004